(57)【特許請求の範囲】
【請求項１】
広帯域無線接続システムにおいて端末が多重基地局転送（ＭｕｌｔｉＢＳ  ＭＩＭＯ）モードを行う方法であって、
複数の周辺基地局のシステム情報を含む第１放送メッセージをサービング基地局から受信し、
前記複数の周辺基地局のうち、前記多重基地局転送モードに参加できる少なくとも一つの周辺基地局に対応するインデックスが列挙された基地局セット情報を含む第２放送メッセージを、前記サービング基地局から受信し、
前記列挙されたインデックスを用いて前記基地局セット情報に含まれる基地局のそれぞれに対する臨時基地局識別子を決定すること、
を含む、多重基地局転送モード実行方法。
【請求項２】
前記臨時基地局識別子を決定することは、
前記列挙されたインデックスを再び順番に索引する方法で行われることを特徴とする、請求項１に記載の多重基地局転送モード実行方法。
【請求項３】
前記周辺基地局に対応するインデックスは、８ビット大きさであり、
前記臨時基地局識別子は、４ビット大きさであることを特徴とする、請求項１に記載の多重基地局転送モード実行方法。
【請求項４】
前記第１メッセージに含まれた前記システム情報を用いて、前記基地局リストに含まれる基地局のそれぞれに対するチャネル測定を行うことをさらに含む、請求項１に記載の多重基地局転送モード実行方法。
【請求項５】
前記測定の結果、チャネル状態が既に設定されたしきい値以上である基地局のそれぞれに対応する少なくとも一つの臨時基地局識別子、及び前記端末が要請する多重基地局転送モードの種類を指示するフィールドを含む要請メッセージを、前記サービング基地局に転送することをさらに含む、請求項４に記載の多重基地局転送モード実行方法。
【請求項６】
前記第１放送メッセージは、隣公示（ＡＡＩ＿ＮＢＲ−ＡＤＶ）メッセージであり、
前記第２放送メッセージは、ダウンリンク干渉緩和（ＡＡＩ＿ＤＬ＿ＩＭ）メッセージであり、
前記要請メッセージは、多重基地局転送要請（ＡＡＩ＿ＭＵＬＴＩ＿ＢＳ＿ＭＩＭＯ−ＲＥＱ）メッセージであることを特徴とする、請求項５に記載の多重基地局転送モード実行方法。
【請求項７】
広帯域無線接続システムにおいてサービング基地局が多重基地局転送（ＭｕｌｔｉＢＳ  ＭＩＭＯ）モードを行う方法であって、
複数の周辺基地局のシステム情報を含む第１放送メッセージを放送し、
前記複数の周辺基地局のうち、前記多重基地局転送モードに参加できる少なくとも一つの周辺基地局に対応するインデックスが列挙された基地局セット情報を含む第２放送メッセージを放送し、
前記列挙されたインデックスを用いて決定された前記基地局セット情報に含まれる基地局のそれぞれに対する臨時基地局識別子のうち少なくとも一つを含む前記多重基地局転送を要請するメッセージを端末から受信すること、
を含む、多重基地局転送モード実行方法。
【請求項８】
前記臨時基地局識別子は、前記列挙されたインデックスを再び順番に索引する方法で決定されることを特徴とする、請求項７に記載の多重基地局転送モード実行方法。
【請求項９】
前記周辺基地局に対応するインデックスは、８ビット大きさであり、
前記臨時基地局識別子は、４ビット大きさであることを特徴とする、請求項７に記載の多重基地局転送モード実行方法。
【請求項１０】
前記要請メッセージに含まれた臨時識別子のそれぞれに対応する基地局が前記多重基地局転送モードに参加するか否かを指示するビットマップを含む応答メッセージを、前記端末に転送することをさらに含む、請求項７に記載の多重基地局転送モード実行方法。
【請求項１１】
前記第１放送メッセージは、隣公示（ＡＡＩ＿ＮＢＲ−ＡＤＶ）メッセージであり、
前記第２放送メッセージは、ダウンリンク干渉緩和（ＡＡＩ＿ＤＬ＿ＩＭ）メッセージであり、
前記要請するメッセージは、多重基地局転送要請（ＡＡＩ＿ＭＵＬＴＩ＿ＢＳ＿ＭＩＭＯ−ＲＥＱ）メッセージであり、
前記応答メッセージは、多重基地局転送応答（ＡＡＩ＿ＭＵＬＴＩ＿ＢＳ＿ＭＩＭＯ−ＲＳＰ）メッセージであることを特徴とする、請求項１０に記載の多重基地局転送モード実行方法。
【請求項１２】
プロセッサと、
複数のアンテナを備え、前記プロセッサの制御によって外部と無線信号を送受信するための無線通信（ＲＦ）モジュールと、
を含み、
前記プロセッサは、
サービング基地局が放送する第１放送メッセージから複数の周辺基地局のシステム情報を獲得し、前記複数の周辺基地局のうち、前記多重基地局転送モードに参加できる少なくとも一つの周辺基地局に対応するインデックスが列挙された基地局セット情報を、前記サービング基地局が放送する第２放送メッセージから獲得すると、前記列挙されたインデックスを用いて、前記基地局セット情報に含まれる基地局のそれぞれに対する臨時基地局識別子を決定するように制御することを特徴とする、移動端末機。
【請求項１３】
前記プロセッサは、
前記列挙されたインデックスを再び順番に索引する方法で前記臨時基地局識別子を決定することを特徴とする、請求項１２に記載の移動端末機。
【請求項１４】
前記周辺基地局に対応するインデックスは、８ビット大きさであり、
前記臨時基地局識別子は、４ビット大きさであることを特徴とする、請求項１２に記載の移動端末機。
【請求項１５】
前記プロセッサは、
前記第１メッセージに含まれた前記システム情報を用いて、前記基地局リストに含まれる基地局のそれぞれに対するチャネル測定を行うように制御することを特徴とする、請求項１２に記載の移動端末機。
【請求項１６】
前記プロセッサは、
前記測定の結果、チャネル状態が既に設定されたしきい値以上である基地局のそれぞれに対応する少なくとも一つの臨時基地局識別子、及び前記端末が要請する多重基地局転送モードの種類を指示するフィールドを含む要請メッセージが、前記サービング基地局にさらに転送されるように制御することを特徴とする、請求項１５に記載の移動端末機。
【請求項１７】
前記第１放送メッセージは、隣公示（ＡＡＩ＿ＮＢＲ−ＡＤＶ）メッセージであり、
前記第２放送メッセージは、ダウンリンク干渉緩和（ＡＡＩ＿ＤＬ＿ＩＭ）メッセージであり、
前記要請メッセージは、多重基地局転送要請（ＡＡＩ＿ＭＵＬＴＩ＿ＢＳ＿ＭＩＭＯ−ＲＥＱ）メッセージであることを特徴とする、請求項１６に記載の移動端末機。
【発明の詳細な説明】
【技術分野】
【０００１】
本発明は、広帯域無線接続システムに係り、特に、效率的に多重基地局転送モードを設定するための臨時基地局識別子決定方法及びそれを行うための装置に関するものである。
【背景技術】
【０００２】
以下では、多重アンテナ技術について説明する。
【０００３】
一般の技術では１個の送信アンテナと１個の受信アンテナを用いた。ＭＩＭＯ（Ｍｕｌｔｉ−Ｉｎｐｕｔ  Ｍｕｌｔｉ−Ｏｕｔｐｕｔ）は、複数個の送信アンテナと複数個の受信アンテナを用いる方法で、この方法によりデータの送受信効率を向上させることができる。すなわち、無線通信システムにおける送信端あるいは受信端で複数個のアンテナを用いることによって、容量を増大させ、性能を向上させることができる。以下、本文献においてＭＩＭＯを「多重アンテナ」と呼ぶこともできる。
【０００４】
多重アンテナ技術では、一つの全体メッセージを受信するに当たり、単一アンテナ経路に依存せず、複数のアンテナから受信した各データ断片（ｆｒａｇｍｅｎｔ）を一つに併合することでデータを完成する。多重アンテナ技術を用いると、特定した大きさのセル（ｃｅｌｌ）領域内でデータ転送速度を向上させること、または、特定データ転送速度を保障しながらシステムカバレッジ（ｃｏｖｅｒａｇｅ）を増加させることが可能である。また、この技術は移動通信端末及び中継器などに幅広く用いることができる。多重アンテナ技術によれば、単一アンテナを用いる従来技術に係る移動通信における転送量の限界といった課題を克服することができる。
【０００５】
一般的な多重アンテナ（ＭＩＭＯ）通信システムの構成図が、図２に示されている。送信端にはＮＴの送信アンテナが設けられており、受信端にはＮＲ個の受信アンテナが設けられている。このように、送信端及び受信端で両方とも複数個のアンテナを用いる場合には、送信端または受信端のいずれか一方にのみ複数個のアンテナを用いる場合に比べて、理論的なチャネル転送容量（ｃｈａｎｎｅｌ  ｔｒａｎｓｍｉｓｓｉｏｎ  ｃａｐａｃｉｔｙ）が増加する。チャネル転送容量の増加はアンテナの数に比例する。したがって、転送レート（ｒａｔｅ）が向上し、周波数効率が向上する。一つのアンテナを用いる場合における最大転送レートをＲｏとすれば、多重アンテナを用いる時の転送レートは、理論的に、上記Ｒｏにレート増加率Ｒｉをかけた分だけ増加することができる。
【０００６】
例えば、４個の送信アンテナ及び４個の受信アンテナを用いるＭＩＭＯ通信システムでは、単一アンテナシステムに比べて理論上４倍の転送レートを獲得することができる。このような多重アンテナシステムの理論的容量増加が９０年代半ばに証明されて以来、実質的にデータ転送率を向上させるための種々の技術が今も活発に研究されており、いくつかの技術は既に３世代移動通信及び次世代無線ＲＡＮなどの様々な無線通信の標準に反映されている。
【０００７】
多重アンテナ技術は、様々なチャネル経路を通過したシンボルを用いて転送信頼度を上げる空間ダイバーシティ（ｓｐａｔｉａｌ  ｄｉｖｅｒｓｉｔｙ）方式と、多数の送信アンテナを用いて多数のデータシンボルを同時に送信して転送率を向上させる空間マルチプレクシング（ｓｐａｔｉａｌ  ｍｕｌｔｉｐｌｅｘｉｎｇ）方式とに分類される。また、これら２種類の方式を適宜結合してそれぞれの長所を適切に得ることもできる。
【０００８】
多重アンテナシステムにおける通信方法をより具体的な方法で説明するために、次のような修学的モデルを用いることができる。図１のように、ＮＴ個の送信アンテナとＮＲ個の受信アンテナが存在するとする。この場合、チャネル行列の最大ランクＲｉは、数学式１のように与えられる。
【０００９】
【数１】
0005487309.tif 000002
まず、送信信号については、このようにＮＴ個の送信アンテナがある場合に、最大転送可能な情報はＮＴ個であるから、これを下記の数学式２のようなベクトルで表すことができる。
【００１０】
【数２】
0005487309.tif 000003
一方、それぞれの転送情報
【００１１】
【化１】
0005487309.tif 000004
において転送電力を異ならせることができ、この時、それぞれの転送電力を
【００１２】
【化２】
0005487309.tif 000005
とすれば、転送電力の調整された転送情報
【００１３】
【化３】
0005487309.tif 000006
は、数学式３のようなベクトルで表すことができる。
【００１４】
【数３】
0005487309.tif 000007
また、
【００１５】
【化４】
0005487309.tif 000008
を転送電力の対角行列（ｄｉａｇｏｎａｌ  ｍａｔｒｉｘ）Ｐとして数学式４のように表すことができる。
【００１６】
【数４】
0005487309.tif 000009
一方、実際に転送されるＮＴ個の送信信号（ｔｒａｎｓｍｉｔｔｅｄ  ｓｉｇｎａｌ）
【００１７】
【化５】
0005487309.tif 000010
は、転送電力の調整された情報ベクトル
【００１８】
【化６】
0005487309.tif 000011
に重み行列（ｗｅｉｇｈｔ  ｍａｔｒｉｘ）Ｗを適用して構成することができる。ここで、重み行列は、転送情報を転送チャネル状況などに応じて各アンテナに適切に分配する役割を果たす。このような送信信号
【００１９】
【化７】
0005487309.tif 000012
をベクトルｘと表記し、ｘは、数学式５のように表すことができる。
【００２０】
【数５】
0005487309.tif 000013
ここで、ｗｉｊは、ｉ番目の送信アンテナを通じて送信されるｊ番目の情報
【００２１】
【化８】
0005487309.tif 000014
に対する重みを意味し、行列Ｗと表示するものとする。Ｗは、重み行列（Ｗｅｉｇｈｔ  Ｍａｔｒｉｘ）またはプリコーティング行列（Ｐｒｅｃｏｄｉｎｇ  Ｍａｔｒｉｘ）と呼ぶ。
【００２２】
一方、上述した転送信号ｘを、空間ダイバーシティを用いる場合と、空間マルチプレクシングを用いる場合とに区別して考えることができる。
【００２３】
空間マルチプレクシングを用いる場合は、互いに異なる信号を多重化して送るため、情報ベクトルｓの元素がそれぞれ異なる値を有するのに対し、空間ダイバーシティを用いる場合は、同じ信号を複数のチャネル経路を通じて送るため、情報ベクトルｓの元素がいずれも同一の値を有するようになる。
【００２４】
もちろん、空間マルチプレクシングと空間ダイバーシティとを併合する方法も考慮することができる。すなわち、例えば、一部の送信アンテナからは同じ信号を空間ダイバーシティを用いて転送し、残りの送信アンテナからはそれぞれ異なる信号を空間マルチプレクシングして送ることも考慮することができる。
【００２５】
ＮＲ個の受信アンテナがある場合に、各アンテナの受信信号
【００２６】
【化９】
0005487309.tif 000015
を、数学式６のようにベクトルで表現することができる。
【００２７】
【数６】
0005487309.tif 000016
一方、多重アンテナ通信システムにおけるチャネルをモデリングする場合に、チャネルは送受信アンテナインデックスによって区別することができ、送信アンテナｊと受信アンテナＩとの間に形成されるチャネルをｈｉｊと表示することができる。ここで、ｈｉｊのインデックスの順序は、受信アンテナインデックスが先で、送信アンテナのインデックスが後ろであることに留意されたい。
【００２８】
これらのチャネルを群集化（ｇｒｏｕｐｉｎｇ）することによってベクトル及び行列形態で表示することができる。ベクトル形態で表示する場合については、下記の通りである。
【００２９】
図２は、ＮＴ個の送信アンテナから受信アンテナｉまでのチャネルを示す図である。
【００３０】
図２に示すように、総ＮＴ個の送信アンテナから受信アンテナｉに到着するチャネルは、数学式７のように表現することができる。
【００３１】
図２は、ＮＴ個の送信アンテナから受信アンテナｉまでのチャネルを示す図である。
【００３２】
図２に示すように、総ＮＴ個の送信アンテナから受信アンテナｉに到着するチャネルは、数学式７のように表現することができる。
【００３３】
【数７】
0005487309.tif 000017
また、ＮＴ個の送信アンテナからＮＲ個の受信アンテナを通過するチャネルを行列で表現すると、数学式８の通りである。
【００３４】
【数８】
0005487309.tif 000018
実際チャネルは、上のようなチャネル行列Ｈを経た後に白色雑音（ＡＷＧＮ；Ａｄｄｉｔｉｖｅ  Ｗｈｉｔｅ  Ｇａｕｓｓｉａｎ  Ｎｏｉｓｅ）が加えられるため、ＮＲ個の受信アンテナのそれぞれに加えられる白色雑音
【００３５】
【化１０】
0005487309.tif 000019
をベクトルで表現すると、数学式９の通りである。
【００３６】
【数９】
0005487309.tif 000020
上のようにモデリングした数学式を用いて受信信号を数学式１０のように表現することができる。
【００３７】
【数１０】
0005487309.tif 000021
一方、チャネルの状態を表すチャネル行列Ｈの行（ｒｏｗ）及び列（ｃｏｌｕｍｎ）の数は、送受信アンテナ数によって決定される。チャネル行列Ｈは、上述したように、行（ｒｏｗ）の数は受信アンテナの数ＮＲと同一であり、列（ｃｏｌｕｍｎ）の数は送信アンテナの数ＮＴと同一である。すなわち、チャネル行列Ｈは、ＮＲ＊ＮＴ行列となる。
【００３８】
一般に、行列のランク（ｒａｎｋ）は、互いに独立した（ｉｎｄｅｐｅｎｄｅｎｔ）行または列の個数のうち、最小個数と定義される。そのため、行列のランクは、行または列の個数よりも大きいことはない。数式的に例示すると、チャネル行列Ｈのランクｒａｎｋ（Ｈ）は、数学式１１のように制限される。
【００３９】
【数１１】
0005487309.tif 000022
また、行列を固有値分解（Ｅｉｇｅｎ  ｖａｌｕｅ  ｄｅｃｏｍｐｏｓｉｔｉｏｎ）をした時に、固有値（ｅｉｇｅｎ  ｖａｌｕｅ）のうち、０以外の固有値の個数とランクを定義することができる。同様に、ランクをＳＶＤ（ｓｉｎｇｕｌａｒ  ｖａｌｕｅ  ｄｅｃｏｍｐｏｓｉｔｉｏｎ）した時に、０以外の特異値（ｓｉｎｇｕｌａｒ  ｖａｌｕｅ）の個数と定義することができる。そのため、チャネル行列のランクの物理的な意味は、与えられたチャネルで互いに異なる情報を送りうる最大数ということができる。
【００４０】
多重アンテナ技術を用いて送る互いに異なる情報のそれぞれを、「転送ストリーム（Ｓｔｒｅａｍ）」または簡単に「ストリーム」と定義するとする。このような「ストリーム」を「レイヤー（Ｌａｙｅｒ）」と呼ぶこともできる。そのため、転送ストリームの個数は、当然ながら、互いに異なる情報を送りうる最大数であるチャネルのランクより大きくなることはない。
【００４１】
チャネル行列Ｈは、数学式１２のように表すことができる。
【００４２】
【数１２】
0005487309.tif 000023
ここで、「＃  ｏｆ  ｓｔｒｅａｍｓ」は、ストリームの数を表す。一方、ここで、１ストリームは１以上のアンテナを通じて転送されることがあるという点に注意されたい。
【００４３】
１以上のストリームを複数個のアンテナに対応付ける方法には、種々の方法が存在できる。これらの方法を、多重アンテナ技術の種類によって次のように区別することができる。１個のストリームが複数のアンテナを経て転送される場合は空間ダイバーシティ方式とし、複数のストリームが複数のアンテナを経て転送される場合は空間マルチプレクシング方式とすることができる。もちろん、その中間形態である、空間ダイバーシティと空間マルチプレクシングとを併合（Ｈｙｂｒｉｄ）した形態も可能である。
【００４４】
上述した多重アンテナ技術をダウンリンク転送に用いる場合に、周辺における複数の基地局が、一つの端末に対するダウンリンク転送（ｄｏｗｎｌｉｎｋ  Ｍｕｌｔｉ−ＢＳ  ＭＩＭＯ）に影響を与えることになる。この場合、転送方式によってｄｏｗｎｌｉｎｋ  Ｍｕｌｔｉ−ＢＳ  ＭＩＭＯは、下記の２側面から考慮されるとよい。
【００４５】
その一つは、一つの端末に複数の基地局が同じ信号を転送する方式であるジョイント多重アンテナプロセシング（Ｊｏｉｎｔ  ＭＩＭＯ  Ｐｒｏｃｅｓｓｉｎｇ）モードの側面であり、もう一つは、多重アンテナ環境でサービング基地局から受信される信号に対して他の基地局の干渉を最小化するプリコーティング（Ｓｉｎｇｌｅ  ＢＳ  Ｐｒｅｃｏｄｉｎｇ  ｗｉｔｈ  Ｍｕｌｔｉ−ＢＳ  ｃｏｏｒｄｉｎａｔｉｏｎ）の側面である。
【００４６】
広帯域無線接続システム、例えば、ＩＥＥＥ  ８０２．１６ｍシステムにおいて上述の多重アンテナ技術を適用するためには、端末が多重アンテナを通じて信号を転送する周辺基地局に関する情報を知る必要がある。しかしながら、現在、端末が多重アンテナ転送モードに参加している、または、参加できる基地局の情報（例えば、基地局識別子）を效率的に獲得し、多重アンテナ転送を要請できるような手順が定義されていない。
【発明の概要】
【発明が解決しようとする課題】
【００４７】
本発明は、上記の一般的な技術における問題点を解決するために案出されたもので、その目的は、多重アンテナ環境で多重基地局ダウンリンク転送モードを效率的に行うことができる方法及びそのための装置を提供することにある。
【００４８】
本発明の他の目的は、多重基地局転送モードを設定する際に、多重基地局転送モードに参加する基地局の情報をより效率的に交換できる方法及びそのための装置を提供することにある。
【００４９】
本発明で達成しようとする技術的課題は、以上に言及している技術的課題に制限されるものではなく、言及していない他の技術的課題は、下の記載から、本発明の属する技術の分野における通常の知識を有する者には明らかになるであろう。
【課題を解決するための手段】
【００５０】
上記の一般的な技術の問題点を解決するために、本発明の一実施例に係る、広帯域無線接続システムにおいて端末が多重基地局転送（ＭｕｌｔｉＢＳ  ＭＩＭＯ）モードを行う方法は、複数の周辺基地局のシステム情報を含む第１放送メッセージをサービング基地局から受信すること、前記複数の周辺基地局のうち、前記多重基地局転送モードに参加できる少なくとも一つの周辺基地局に対応するインデックスが列挙された基地局セット情報を含む第２放送メッセージを、前記サービング基地局から受信すること、及び前記列挙されたインデックスを用いて前記基地局セット情報に含まれる基地局のそれぞれに対する臨時基地局識別子を決定することを含むことができる。
【００５１】
ここで、前記臨時基地局識別子を決定することは、前記列挙されたインデックスを再び順番に索引する方法で行われると好ましい。
【００５２】
また、前記周辺基地局に対応するインデックスは、８ビット大きさであり、前記臨時基地局識別子は、４ビット大きさでよい。
【００５３】
また、前記方法は、前記第１メッセージに含まれた前記システム情報を用いて、前記基地局リストに含まれる基地局のそれぞれに対するチャネル測定を行うことをさらに含むことができる。
【００５４】
また、前記方法は、前記測定の結果、チャネル状態が既に設定されたしきい値以上である基地局のそれぞれに対応する少なくとも一つの臨時基地局識別子、及び前記端末が要請する多重基地局転送モードの種類を指示するフィールドを含む要請メッセージを、前記サービング基地局に転送することをさらに含むことができる。
【００５５】
また、前記第１放送メッセージは、隣公示（ＡＡＩ＿ＮＢＲ−ＡＤＶ）メッセージであり、前記第２放送メッセージは、ダウンリンク干渉緩和（ＡＡＩ＿ＤＬ＿ＩＭ）メッセージであり、前記要請メッセージは、多重基地局転送要請（ＡＡＩ＿ＭＵＬＴＩ＿ＢＳ＿ＭＩＭＯ−ＲＥＱ）メッセージでよい。
【００５６】
上記の一般的な技術の問題点を解決するために、本発明の一実施例に係る、広帯域無線接続システムにおいてサービング基地局が多重基地局転送（ＭｕｌｔｉＢＳ  ＭＩＭＯ）モードを行う方法は、複数の周辺基地局のシステム情報を含む第１放送メッセージを放送すること、前記複数の周辺基地局のうち、前記多重基地局転送モードに参加できる少なくとも一つの周辺基地局に対応するインデックスが列挙された基地局セット情報を含む第２放送メッセージを放送すること、及び前記列挙されたインデックスを用いて決定された前記基地局セット情報に含まれる基地局のそれぞれに対する臨時基地局識別子のうち少なくとも一つを含む前記多重基地局転送を要請するメッセージを端末から受信することを含むことができる。
【００５７】
ここで、前記臨時基地局識別子は、前記列挙されたインデックスを再び順番に索引する方法で決定されると好ましい。
【００５８】
前記周辺基地局に対応するインデックスは、８ビット大きさであり、前記臨時基地局識別子は、４ビット大きさでよい。
【００５９】
また、前記方法は、前記要請メッセージに含まれた臨時識別子のそれぞれに対応する基地局が前記多重基地局転送モードに参加するか否かを指示するビットマップを含む応答メッセージを、前記端末に転送することをさらに含むことができる。
【００６０】
なお、前記第１放送メッセージは、隣公示（ＡＡＩ＿ＮＢＲ−ＡＤＶ）メッセージであり、前記第２放送メッセージは、ダウンリンク干渉緩和（ＡＡＩ＿ＤＬ＿ＩＭ）メッセージであり、前記要請するメッセージは、多重基地局転送要請（ＡＡＩ＿ＭＵＬＴＩ＿ＢＳ＿ＭＩＭＯ−ＲＥＱ）メッセージであり、前記応答メッセージは、多重基地局転送応答（ＡＡＩ＿ＭＵＬＴＩ＿ＢＳ＿ＭＩＭＯ−ＲＳＰ）メッセージでよい。
【００６１】
上記の一般的な技術の問題点を解決するために、本発明の一実施例に係る移動端末機は、プロセッサと、複数のアンテナを備え、前記プロセッサの制御によって外部と無線信号を送受信するための無線通信（ＲＦ）モジュールと、を含むことができる。ここで、前記プロセッサは、サービング基地局が放送する第１放送メッセージから複数の周辺基地局のシステム情報を獲得し、前記複数の周辺基地局のうち、前記多重基地局転送モードに参加できる少なくとも一つの周辺基地局に対応するインデックスが列挙された基地局セット情報を、前記サービング基地局が放送する第２放送メッセージから獲得すると、前記列挙されたインデックスを用いて、前記基地局セット情報に含まれる基地局のそれぞれに対する臨時基地局識別子を決定するように制御することができる。
【００６２】
ここで、前記プロセッサは、前記列挙されたインデックスを再び順番に索引する方法で前記臨時基地局識別子を決定することができる。
【００６３】
また、前記周辺基地局に対応するインデックスは、８ビット大きさであり、前記臨時基地局識別子は、４ビット大きさでよい。
【００６４】
また、前記プロセッサは、前記第１メッセージに含まれた前記システム情報を用いて、前記基地局リストに含まれる基地局のそれぞれに対するチャネル測定を行うように制御することができる。
【００６５】
また、前記プロセッサは、前記測定の結果、チャネル状態が既に設定されたしきい値以上である基地局のそれぞれに対応する少なくとも一つの臨時基地局識別子、及び前記端末が要請する多重基地局転送モードの種類を指示するフィールドを含む要請メッセージが、前記サービング基地局にさらに転送されるように制御することができる。
【００６６】
なお、前記第１放送メッセージは、隣公示（ＡＡＩ＿ＮＢＲ−ＡＤＶ）メッセージであり、前記第２放送メッセージは、ダウンリンク干渉緩和（ＡＡＩ＿ＤＬ＿ＩＭ）メッセージであり、前記要請メッセージは、多重基地局転送要請（ＡＡＩ＿ＭＵＬＴＩ＿ＢＳ＿ＭＩＭＯ−ＲＥＱ）メッセージでよい。
【発明の効果】
【００６７】
本発明の実施例によれば、下記のような効果が得られる。
【００６８】
本発明の実施例によれば、多重アンテナ環境で多重基地局ダウンリンク転送モードを效率的に行うことができる。
【００６９】
また、本発明の実施例によれば、多重基地局転送モードを設定するにあたり、多重基地局転送モードに参加する基地局の情報を交換する際に短い臨時識別子を用いるため、シグナリングオーバーヘッドを低減することができる。
【００７０】
本発明から得られる効果は、以上に言及した効果に制限されるものではなく、言及していない他の効果は、下の記載から、本発明の属する技術の分野における通常の知識を有する者には明確に理解されるであろう。
【図面の簡単な説明】
【００７１】
【図１】一般的な多重アンテナ（ＭＩＭＯ）通信システムの構成図である。
【図２】ＮＴ個の送信アンテナから受信アンテナｉまでのチャネルを示す図である。
【図３】多重アンテナ環境で複数の基地局と端末との交信において信号と干渉との関係を示す図である。
【図４】ジョイント多重アンテナプロセシング手法の一例を示す図である。
【図５】本発明の一実施例に係る臨時基地局識別子の獲得及び多重基地局ダウンリンク転送モードの要請動作の一例を示す信号流れ図である。
【図６】本発明の一実施例に係る多重基地局転送モードで端末のフィードバック動作の一例を示す信号流れ図である。
【図７】本発明の他の実施例であって、送信端及び受信端の構造の一例を示すブロック図である。
【発明を実施するための形態】
【００７２】
以下の実施例は、本発明の構成要素及び特徴を所定の形態で結合したものである。各構成要素または特徴は、別に明示しない限り、選択的なものと考慮しなければならない。各構成要素または特徴が他の構成要素や特徴と結合しない形態で実施してもよく、一部の構成要素及び／または特徴を結合させて本発明の実施例を構成してもよい。本発明の実施例で説明される動作の順序は変更してもよい。ある実施例の一部構成や特徴は、他の実施例に含まれてもよく、他の実施例の対応する構成または特徴に代えてもよい。
【００７３】
本明細書では、本発明の実施例を、基地局と端末との間におけるデータ送受信の関係を中心に説明する。ここで、基地局は、端末と直接通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００７４】
すなわち、基地局を含む多数のネットワークノード（ｎｅｔｗｏｒｋ  ｎｏｄｅｓ）からなるネットワークにおいて、端末との通信のために行われる種々の動作は、基地局または基地局以外の他のネットワークノードにより行われうるということは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）、ＡＢＳ（Ａｄｖａｎｃｅｄ  ＢＳ）などの用語に代えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＡＭＳ（Ａｄｖａｎｃｅｄ  ＭＳ）、ＳＳ（Ｓｕｂｓｃｒｉｂｅｒ  Ｓｔａｔｉｏｎ）などの用語に代えてもよい。
【００７５】
本発明の実施例は、様々な手段により具現することができる。例えば、本発明の実施例は、ハードウェア、ファームウェア（ｆｉｒｍｗａｒｅ）、ソフトウェアまたはそれらの結合などにより具現することができる。
【００７６】
ハードウェアによる具現の場合、本発明の実施例に係る方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどにより具現することができる。
【００７７】
ファームウェアやソフトウェアによる具現の場合、本発明の実施例に係る方法は、以上で説明された機能または動作を行うモジュール、手順または関数などの形態とすることができる。ソフトウェアコードはメモリーユニットに記憶し、プロセッサで駆動することができる。メモリーユニットは、プロセッサの内部または外部に設けられて、既に公知の様々な手段によりプロセッサとデータを授受することができる。
【００７８】
本発明の実施例は、無線接続システムであるＩＥＥＥ  ８０２システム、３ＧＰＰシステム、３ＧＰＰ  ＬＴＥシステム及び３ＧＰＰ２システムの少なくとも一つに開示されている標準文書でサポートできる。すなわち、本発明の実施例において、本発明の技術的思想を明確にするために説明を省略した段階または部分は、上記の文書でサポートできる。また、本文書で開示している用語はいずれも、上記の標準文書により説明することができる。特に、本発明の実施例は、ＩＥＥＥ  ８０２．１６システムの標準文書であるＰ８０２．１６−２００４、Ｐ８０２．１６ｅ−２００５、Ｐ８０２．１６Ｒｅｖ２及びＩＥＥＥ  Ｐ８０２．１６ｍ文書の少なくとも一つでサーボートできる。
【００７９】
以下の説明で使われる特定用語は、本発明の理解を助けるために提供されているもので、これらの特定用語の使用は、本発明の技術的思想から逸脱しない範囲で他の形態に変更可能である。
【００８０】
以下では、ダウンリンク多重アンテナ転送の形態についてより詳細に説明する。
【００８１】
閉ループ多重アンテナ（ｃｌｏｓｅｄ−ｌｏｏｐ  ＭＩＭＯ）手法は、マルチセル環境において一般的なユーザー性能（ａｖｅｒａｇｅ  ｕｓｅｒ−ｔｈｒｏｕｇｈｐｕｔ）の他、セルエッジにおける性能（ｃｅｌｌ−ｅｄｇｅ  ｔｈｒｏｕｇｈｐｕｔ）も向上させることができる手法としてよく知られている。しかし、セルエッジに位置する端末は、依然として隣接セルからの干渉に弱い。そこで、端末が各セルからの信号を測定して、最も干渉の少ないプリコーティング行列インデックス（ＰＭＩ）をサービング基地局に報告することで隣接セルに該当のＰＭＩの使用を推薦したり、最も干渉の大きいＰＭＩをサービング基地局に報告して隣接セルに該当のＰＭＩの使用を制限する方法が主に用いられている。このような多重アンテナ環境において複数の基地局と端末との交信における信号と干渉との関係について、図３を参照して説明する。
【００８２】
図３を参照すると、全ての基地局はバックボーンネットワークを通じて接続し、コードブックにおいて推薦または制限されるＰＭＩ（ｒｅｓｔｒｉｃｔｅｄ／ｒｅｃｏｍｍｅｎｄｅｄ  ＰＭＩ）は暗く表示され、全ての基地局は同じコードブックを用いるとする。
【００８３】
ＭＳｅｄｇｅ＿Ｂは、セルＡ（ｃｅｌｌ＿Ａ）の端部に位置しており、隣接セル（ｃｅｌｌ＿Ｂ、ｃｅｌｌ＿Ｃ）から影響を受ける。比較的高い転送電力信号を受信する他の端末（ＭＳｉｎ＿Ｄ、ＭＳｉｎ＿Ｅ、ＭＳｉｎ＿Ｆ）は、各セルの中心寄りに位置する。ＰＭＩ推薦／制限手法では、ＭＳｅｄｇｅ＿Ｂが、干渉を与える他の基地局（ＢＳ＿２、ＢＳ＿３）との干渉を測定し、最適のＰＭＩを探してサービング基地局（ＢＳ＿１）に報告する。すると、サービング基地局（ＢＳ＿１）は、端末から報告されたＰＭＩをバックボーンネットワークを通じて隣接セルに知らせる。
【００８４】
セルＣ（Ｃｅｌｌ＿Ｃ）に位置している２番の基地局（ＢＳ＿２）がサービング基地局（ＢＳ＿１）からＰＭＩ情報を受信すると、当該ＰＭＩを推薦する場合にはそれを用い、当該ＰＭＩを制限する場合にはそれを用いない。
【００８５】
図３を参照して、上述したＰＭＩ推薦または制限手法は、マルチセル環境で端末のサービング基地局が一つである状況を想定して説明した。しかし、本発明に係る多重アンテナ転送手法は、複数の基地局から信号を転送される場合も含む。このような転送手法には、多重基地局調整単一基地局プリコーティング（Ｓｉｎｇｌｅ−ＢＳ  ｐｒｅｃｏｄｉｎｇ  ｗｉｔｈ  ＭｕｌｔｉＢＳ  Ｃｏｏｒｄｉｎａｔｉｏｎ）モード、閉ループマクロダイバーシティ（以下、「ＣＬ−ＭＤ」という。）モード、及びジョイント多重アンテナプロセシング（Ｊｏｉｎｔ  ＭＩＭＯ  ｐｒｏｃｅｓｓｉｎｇ、以下、「ＪＰ」という。）モードを挙げることができる。
【００８６】
ＣＬ−ＭＤモードは、２以上の基地局から端末がダウンリンク信号を受信し、そのために最適のＰＭＩを閉ループ方式で基地局にフィードバックする方式である。ＪＰモードについて、図４を参照して説明する。
【００８７】
図４は、ジョイント多重アンテナプロセシング手法の一例を示す図である。
【００８８】
図４を参照すると、端末は、セルＡ、セルＢ及びセルＣからジョイントプロセシングのために指定されたリソース（ＪＰ  Ｚｏｎｅ、すなわち、特定の時間軸及び周波数軸に該当するリソース）を通じて信号を受信することで、空間ダイバーシティ効果を有することができる。ただし、図４では、ＪＰモードに参加する基地局がいずれも同じリソースを用いるとしたが、本発明は、基地局別に異なるリソースを用いる場合も含む。
【００８９】
上述の多重基地局ダウンリンク転送モード（Ｓｉｎｇｌｅ−ＢＳ  ｐｒｅｃｏｄｉｎｇ  ｗｉｔｈ  Ｍｕｌｔｉ  ＢＳ  Ｃｏｏｒｄｉｎａｔｉｏｎモード、ＣＬ−ＭＤモードまたはＪＰモード）を、ＩＥＥＥ  ８０２．１６ｍシステムに適用する際に、端末は、まず、各モードに参加できる周辺基地局の情報を把握し、該当の基地局とのチャネル状態を測定することができる。端末は、測定結果を用いて自身が好む基地局のリストをサービング基地局に報告しながら多重基地局ダウンリンク転送モードを通じたデータ転送を要請することができる。端末の報告を参考して、基地局は、該当のモードに参加する基地局を決定し、これをリストとして端末に知らせることができる。以下、便宜上、多重基地局ダウンリンク転送モードに参加できる基地局のセットをダイバーシティセット（Ｄｉｖｅｒｓｉｔｙ  ｓｅｔ）と称する。
【００９０】
端末がダイバーシティセットに関する情報を獲得すると、端末は、多重基地局ダウンリンク転送モード（Ｓｉｎｇｌｅ−ＢＳ  ｐｒｅｃｏｄｉｎｇ  ｗｉｔｈ  ＭｕｌｔｉＢＳ  Ｃｏｏｒｄｉｎａｔｉｏｎモード、ＣＬ−ＭＤモードまたはＪＰモード）の実行に要求される情報（例えば、ＰＭＩフィードバック）を、所定のＭＡＣメッセージを用いて基地局と交換することができる。
【００９１】
端末は、基本的に基地局から放送される隣公示メッセージ（ＡＡＩ＿ＮＢＲ−ＡＤＶ）から周辺基地局の情報を得ることができる。隣公示メッセージには、４８ビット大きさの周辺基地局の全体基地局識別子（ｆｕｌｌ  ＢＳＩＤ）が含まれ、これをメッセージ内で８ビット大きさのインデックスに区分する。多重基地局ダウンリンク転送モードを要請し、該当のモードに参加する基地局を決定するために、端末と基地局がやり取りする媒体接続制御管理メッセージ（ＭＡＣ  ｍａｎａｇｅｍｅｎｔ  ｍｅｓｓａｇｅ）にも、該当のモードに参加できる、または、参加する基地局のリストが含まれる。シグナリングオーバーヘッドの減少のために、このようなＭＡＣメッセージに含まれる基地局のリストをより效率的にして含める必要がある。
【００９２】
しかるに、端末が多重基地局モード関連ＭＡＣメッセージを基地局と交換するにあたり、ダイバーシティセットが既に定められているにもかかわらず、該当のＭＡＣメッセージに含まれる基地局のリストについて、隣公示メッセージと同様に、各基地局を識別するために基地局当たり８ビットを用いると、リストの大きさは８ｎ（ｎ＝リストに含まれる基地局の個数）ビットとなり、相当なシグナリングオーバーヘッドにつながることがある。
【００９３】
そこで、多重セル環境において端末とサービング基地局が多重基地局ダウンリンク転送モード関連ＭＡＣメッセージを転送する際に、それに含まれる基地局リストについて、各基地局を識別するための効率的な方法が要求される。そのために、本発明では、端末がダイバーシティセットから暗黙的に獲得できる、より大きさの小さい別途の基地局識別子を用いることを提案する。
【００９４】
以下では、便宜上、本発明に係る別途の基地局識別子を「臨時基地局識別子（Ｔｅｍｐ＿ＢＳＩＤ）」と称する。
【００９５】
本発明に係る別途の基地局識別子は、上述したように、ダイバーシティセットを通じて端末が暗黙的に獲得することができる。したがって、端末は、まず、ダイバーシティセットを特定ＭＡＣメッセージを通じて獲得する必要がある。このようなＭＡＣメッセージには、ダウンリンク干渉緩和（ＤｏｗｎＬｉｎｋ  Ｉｎｔｅｒｆｅｒｅｎｃｅ  Ｍｉｔｉｇａｔｉｏｎ、ＡＡＩ＿ＤＬ＿ＩＭ）メッセージを用いることができる。
【００９６】
下記の表１には、ＡＡＩ＿ＤＬ＿ＩＭメッセージに含まれうるパラメータを示す。
【００９７】
【表１】
0005487309.tif 000024
表１を参照すると、ＡＡＩ＿ＤＬ＿ＩＭメッセージには、多重基地局ダウンリンク転送モードを行うことができる基地局の数、すなわち、ダイバーシティセットに含まれる基地局の数を表すフィールド（ｄｉｖｅｒｓｉｔｙＳｅｔＮｕｍ）が含まれる。このフィールドは４ビット大きさであるから、最大１６個の基地局を表すことができる。
【００９８】
また、ＡＡＩ＿ＤＬ＿ＩＭメッセージには、ＢＳ＿ｉｎｄｅｘフィールドが含まれ、このフィールドには、ダイバーシティセットに含まれる基地局のインデックスが羅列される。この時に用いられるインデックスは、ＡＡＩ＿ＮＢＲ−ＡＤＶメッセージにおいて基地局を識別するための８ビットインデックスと同一のものでよい。このフィールドに羅列される基地局の数は、ｄｉｖｅｒｓｉｔｙＳｅｔＮｕｍフィールドの値（すなわち、最大１６個）に対応することができる。
【００９９】
ＢＳ＿ｉｎｄｅｘフィールドに羅列される基地局の８ビットインデックスを再び順番にインデクシングすることができ、このような方法で生成されたインデックスが本発明で提案する臨時基地局識別子に相当する。結果として、ＢＳ＿ｉｎｄｅｘには総１６個の基地局を羅列することができ、４ビットを用いてＢＳ＿ｉｎｄｅｘフィールドの全ての基地局（すなわち、ダイバーシティセット）に対するインデクシングが可能であり、端末は、上述した方法で暗黙的に臨時基地局識別子を獲得することができる。
【０１００】
本発明に係る４ビットの臨時基地局識別子の大きさは、ＡＡＩ＿ＮＢＲ−ＡＤＶメッセージにおいて各基地局を識別するための８ビットインデックスの半分の大きさとなる。そのため、本発明に係る臨時基地局識別子が多重基地局ダウンリンク転送モードの要請またはフィードバックのためのＭＡＣメッセージに用いられる場合に、それに含まれる基地局リストの大きさも半分になる効果がある。
【０１０１】
以下では、本発明に係る臨時基地局識別子が端末に獲得される形態及び臨時基地局識別子が用いられ過程を、図５を参照して説明する。
【０１０２】
図５は、本発明の一実施例に係る臨時基地局識別子の獲得及び多重基地局ダウンリンク転送モードの要請過程の一例を示す信号流れ図である。
【０１０３】
図５を参照すると、端末は、基地局から放送される隣公示（ＡＡＩ＿ＮＢＲ−ＡＤＶ）メッセージを受信して周辺基地局のシステム情報を獲得することができる（Ｓ５０１）。
【０１０４】
この時、上述の通り隣公示メッセージには、基地局の全体識別子（ｆｕｌｌ  ＢＳＩＤ）４８ビットが含まれるが、メッセージ内で８ビット大きさのインデックス（すなわち、ＡＢＳ  Ｉｎｄｅｘ）を用いて各基地局を区別することができる。
【０１０５】
次に、端末は、基地局から放送されるダウンリンク干渉緩和（ＡＡＩ＿ＤＬ＿ＩＭ）メッセージを受信し、表１を参照して上述した方法で暗示的に臨時基地局識別子（Ｔｅｍｐ＿ＢＳＩＤ）を獲得することができる（Ｓ５０２）。
【０１０６】
ここで、ＡＡＩ＿ＮＢＲ−ＡＤＶメッセージ及びＡＡＩ＿ＤＬ＿ＩＭメッセージには変更カウント（ｃｈａｎｇｅ  ｃｏｕｎｔ）が含まれ、端末は、変更カウント値を比較して両方のバージョンが一致するか否かを確認することができる。もし、変更カウント値が互いに異なると、ＡＡＩ＿ＮＢＲ−ＡＤＶメッセージの８ビットインデックスが指示する実際基地局が互いに異なることがある。こうなると、８ビットインデックスを参照するＡＡＩ＿ＤＬ＿ＩＭメッセージのダイバーシティセットが指示する実際基地局が互いに異なることがあり、結局としてダイバーシティセットから獲得された臨時基地局識別子が指示する実際基地局が互いに異なることがあるためである。このような場合、端末は、同一の変更カウント値を持つ２メッセージを獲得するまで待機することが好ましい。
【０１０７】
続いて、端末は、上記の両メッセージの情報を用いて、ダイバーシティセットに含まれる基地局に対するスキャンを行い、各基地局とのチャネル状態を判断することができる（Ｓ５０３）。
【０１０８】
この時、端末は、スキャンを行うにあたり、隣公示メッセージに含まれた各周辺基地局のシステム情報を用いることができる。端末は、判断したチャネル状態を用いて多重基地局ダウンリンク転送モードを要請するメッセージ、すなわち、ＡＡＩ＿ＭＵＬＴＩ＿ＢＳ＿ＭＩＭＯ−ＲＥＱメッセージを、サービング基地局に転送することができる（Ｓ５０４）。
【０１０９】
下記の表２には、ＡＡＩ＿ＭＵＬＴＩ＿ＢＳ＿ＭＩＭＯ−ＲＥＱメッセージに含まれる情報の一例を示す。
【０１１０】
【表２】
0005487309.tif 000025
表２を参照すると、ＡＡＩ＿ＭＵＬＴＩ＿ＢＳ＿ＭＩＭＯ−ＲＥＱメッセージには、Ｍｕｌｔｉ−ＢＳ  ＭＩＭＯ  Ｒｅｑｕｅｓｔフィールドが含まれ、端末の要請する多重基地局転送モードを指示することができる。
【０１１１】
また、ＮｕｍＢＳフィールドを用いて、ダイバーシティセットに含まれる基地局のうち、端末のチャネルを測定した結果、所定のしきい値を越える基地局の個数を指示することができ、Ｔｅｍｐ＿ＢＳＩＤフィールドを用いて、しきい値を越える基地局の臨時基地局識別子を含めることができる。
【０１１２】
サービング基地局は、端末から受信したＡＡＩ＿ＭＵＬＴＩ＿ＢＳ＿ＭＩＭＯ−ＲＥＱメッセージを用いて、チャネル状態が所定のしきい値を越える基地局に関する情報に基づいて最終的に端末の要請する多重基地局転送モードに参加するダイバーシティセットを決定し、その結果をＡＡＩ＿ＭＵＬＴＩ＿ＢＳ＿ＭＩＭＯ−ＲＳＰメッセージを通じて端末に転送することができる（Ｓ５０５）。
【０１１３】
下記の表３には、ＡＡＩ＿ＭＵＬＴＩ＿ＢＳ＿ＭＩＭＯ−ＲＳＰメッセージに含まれうる情報の一例を示す。
【０１１４】
【表３】
0005487309.tif 000026
表３を参照すると、ＡＡＩ＿ＭＵＬＴＩ＿ＢＳ＿ＭＩＭＯ−ＲＳＰメッセージは、最後に転送されたＡＡＩ＿ＮＢＲ−ＡＤＶメッセージに含まれた基地局のうち、端末の要請した多重基地局転送モードに参加する基地局を表すビットマップ（Ｂｉｔｍａｐ＿ｆｏｒ＿ｉｎｖｏｌｖｅｄ＿ａｄｊａｃｅｎｔ＿ＡＢＳｓ＿ｉｎ＿ｍｕｌｔｉＢＳ＿ＭＩＭＯ）フィールドを含むことができる。ここで、ビットマップは、ＡＡＩ＿ＮＢＲ−ＡＤＶメッセージではなくＡＡＩ＿ＭＵＬＴＩ＿ＢＳ＿ＭＩＭＯ−ＲＥＱメッセージに含まれた基地局のうち、端末の要請した多重基地局転送モードに参加する基地局を表すものであってもよい。
【０１１５】
ＡＡＩ＿ＭＵＬＴＩ＿ＢＳ＿ＭＩＭＯ−ＲＳＰメッセージを受信した端末は、ビットマップが指示する基地局から多重基地局転送モードでデータを受信することができる（Ｓ５０６）。
【０１１６】
一方、本発明に係る臨時基地局識別子は、多重基地局転送モードにおいて端末が基地局にフィードバック情報を転送するためのＭＡＣメッセージにも用いることができる。これを、図６を参照して説明する。
【０１１７】
図６には、本発明の一実施例に係る多重基地局転送モードにおいて端末のフィードバック動作過程の一例を示す。
【０１１８】
図６を参照すると、端末は、図５のＳ５０１乃至Ｓ５０５と類似の手順を通じて多重基地局転送モードで動作することができる（Ｓ６０１）。
【０１１９】
この場合、サービング基地局から多重基地局転送モード動作状態に対するフィードバック要請を受信することができる（Ｓ６０２）。この時、基地局は、端末にフィードバック情報を要請するために、フィードバックポーリングＡ−ＭＡＰ情報要素（Ｆｅｅｄｂａｃｋ  Ｐｏｌｌｉｎｇ  Ａ−ＭＡＰ  ＩＥ）を用いることができる。
【０１２０】
基地局からフィードバック情報を要請された端末は、ＡＡＩ＿ＭｕｌｔｉＢＳ＿ＭＩＭＯ＿ＦＢＫメッセージを通じて基地局にフィードバック情報を転送することができる（Ｓ６０３）。
【０１２１】
下記の表４には、ＡＡＩ＿ＭｕｌｔｉＢＳ＿ＭＩＭＯ＿ＦＢＫメッセージに含まれる情報の一例を示す。
【０１２２】
【表４】
0005487309.tif 000027
表４を参照すると、ＡＡＩ＿ＭｕｌｔｉＢＳ＿ＭＩＭＯ＿ＦＢＫメッセージは、チャネル品質情報（ＣＱＩ）を指示するフィールド、ＰＭＩを指示するフィールド及び臨時基地局識別子（Ｔｅｍｐ＿ＢＳＩＤ）フィールドなどを含むことができる。ここで、臨時基地局識別子フィールドは、ダイバーシティセットに含まれる基地局のうち、該当の転送モードに参加する臨時基地局識別子を含むことができる。
【０１２３】
（端末及び基地局の構造）
以下、本発明の他の実施例であって、上記の本発明の実施例を実行できる端末及び基地局（ＦＢＳ、ＭＢＳ）について説明する。
【０１２４】
端末は、アップリンクでは送信機として動作し、ダウンリンクでは受信機として動作できる。また、基地局は、アップリンクでは受信機として動作し、ダウンリンクでは送信機として動作できる。すなわち、端末及び基地局は、情報またはデータの転送のために送信機及び受信機を含むことができる。
【０１２５】
送信機及び受信機は、本発明の実施例を実行するためのプロセッサ、モジュール、部分及び／または手段などを含むことができる。特に、送信機及び受信機は、メッセージを暗号化するためのモジュール（手段）、暗号化したメッセージを解析するためのモジュール、メッセージを送受信するためのアンテナなどを含むことができる。このような送信端と受信端の一例を、図７を参照して説明する。
【０１２６】
図７は、本発明の他の実施例であって、送信端及び受信端の構造の一例を示すブロック図である。
【０１２７】
図７を参照すると、左側は送信端の構造を示し、右側は受信端の構造を示している。送信端及び受信端のそれぞれは、アンテナ５，１０、プロセッサ２０，３０、転送モジュール（Ｔｘ  ｍｏｄｕｌｅ）４０，５０、受信モジュール（Ｒｘ  ｍｏｄｕｌｅ）６０，７０及びメモリー８０，９０を含むことができる。各構成要素は、互いに対応する機能を実行することができる。以下、各構成要素についてより詳細に説明する。
【０１２８】
アンテナ５，１０は、転送モジュール４０，５０で生成された信号を外部に転送したり、外部から無線信号を受信して受信モジュール６０，７０に伝達する機能を担う。多重アンテナ（ＭＩＭＯ）機能が支援される場合には、２個以上が設けられてもよい。
【０１２９】
アンテナ、転送モジュール及び受信モジュールは共に、無線通信（ＲＦ）モジュールを構成することができる。
【０１３０】
プロセッサ２０，３０は、通常、移動端末機の全般動作を制御する。例えば、上述した本発明の実施例を行うためのコントローラ機能、サービス特性及び伝播環境に応じたＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能などを実行することができる。より具体的に、プロセッサ２０、３０は、上述したハンドオーバー手順を行うための制御全般を行うことができる。
【０１３１】
特に、移動端末機のプロセッサは、サービング基地局から放送される隣公示（ＡＡＩ＿ＮＢＲ−ＡＤＶ）メッセージを通じて、当該メッセージの変更カウント情報及び隣基地局の識別子及びそれに対する８ビットインデックスを獲得することができる。
【０１３２】
また、移動端末機のプロセッサは、サービング基地局から放送されるＡＡＩ＿ＤＬ＿ＩＭメッセージを受信し、多重基地局転送モードに参加できる基地局リスト（すなわち、ダイバーシティセット）に対する暗示的インデクシングから臨時基地局識別子（Ｔｅｍｐ＿ＢＳＩＤ）を獲得することができる。移動端末機のプロセッサは、獲得した情報を用いてサービング基地局に多重基地局転送モードを要請することができ、この時、要請メッセージ（ＡＡＩ＿ＭＵＬＴＩ＿ＢＳ＿ＭＩＭＯ−ＲＥＱ）における臨時基地局識別子を用いて、チャネル状態が所定しきい値を越える基地局を報告することができる。
【０１３３】
その後、端末のプロセッサは、ＡＡＩ＿ＭＵＬＴＩ＿ＢＳ＿ＭＩＭＯ−ＲＳＰメッセージから、サービング基地局で決定された多重基地局転送モードに参加する基地局を判断することができる。
【０１３４】
上述したプロセッサの動作のより細部的な手順は、図５及び図６を参照して上述した実施例に開示された動作過程の全般を制御することができる。
【０１３５】
転送モジュール４０，５０は、プロセッサ２０，３０からスケジューリングされて外部に転送されるデータに、所定の符号化（ｃｏｄｉｎｇ）及び変調（ｍｏｄｕｌａｔｉｏｎ）を行った後、アンテナ１０に伝達することができる。
【０１３６】
受信モジュール６０，７０は、外部からアンテナ５，１０を介して受信された無線信号に復号（ｄｅｃｏｄｉｎｇ）及び復調（ｄｅｍｏｄｕｌａｔｉｏｎ）を行って原本データの形態に復元し、プロセッサ２０，３０に伝達することができる。
【０１３７】
メモリー８０，９０は、プロセッサ２０，３０の処理及び制御のためのプログラムを格納することもでき、入／出力されるデータ（例えば、臨時基地局識別子情報）を臨時記憶する機能を担うこともできる。また、メモリー８０，９０は、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリー（例えば、ＳＤまたはＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクの少なくとも一タイプの記憶媒体を含むことができる。
【０１３８】
一方、基地局は、上述した本発明の実施例を実行するためのコントローラ機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び伝播環境に応じたＭＡＣフレーム可変制御機能、高速トラフィック実時間制御機能、ハンドオーバー（Ｈａｎｄｏｖｅｒ）機能、認証及び暗号化機能、データ転送のためのパケット変復調機能、高速パケットチャネルコーディング機能、及び実時間モデム制御機能などを、上述したモジュールの少なくとも一つにより行ったり、これらの機能を実行するための別の手段、モジュールまたは部分などをさらに含むことができる。
【０１３９】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。また、特許請求の範囲で明示的な引用関係を有しない請求項を結合して実施例を構成したり、出願後の補正により新しい請求項として含めることができる。
【産業上の利用可能性】
【０１４０】
本発明の実施例は、様々な無線接続システムに適用することができる。様々な無線接続システムの一例には、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／またはＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、これらの様々な無線接続システムの他、これら様々な無線接続システムを応用したいずれの技術分野にも適用することができる。
【図１】
0005487309.tif 000028
【図２】
0005487309.tif 000029
【図３】
0005487309.tif 000030
【図４】
0005487309.tif 000031
【図５】
0005487309.tif 000032
【図６】
0005487309.tif 000033
【図７】
0005487309.tif 000034